(57)【要約】【課題】ヘッド主体部に口径の異なる２つのダイヤフラムをそれぞれ嵌合する２つのヘッド部を備え、多機能性を有する聴診器を提供する。【課題手段】ヘッド主体部１と、前記ヘッド主体部に設けられた導管接続口３と、から構成された聴診器ヘッド１０であって、前記主ヘッド部は、前記導管接続口と接続された透明又は半透明の主ダイヤフラム１１１を備え、前記副ヘッド部１２には、高周波聴診及び／又は狭域聴診のための副ダイヤグラム１２１又は種々の機能を提供する機器類を受け入れるためのスペース１５が設けられ、前記副ダイヤグラム又は前記機器類を前記スペース内に係止させるために前記副ヘッド部の外周縁に嵌合される着脱可能な弾性リング部材１３が装着される。【選択図】図２
0003111463.tif 000002
【実用新案登録請求の範囲】
【請求項１】
ヘッド主体部と、前記ヘッド主体部に設けられた導管接続口と、から構成された聴診器ヘッドであって、
前記ヘッド主体部は、前記導管接続口を挿んで互いに反対方向に形成された透明又は半透明素材から成る主ヘッド部と副ヘッド部とから構成され、
前記主ヘッド部は、前記導管接続口と接続された透明又は半透明の主ダイヤフラムを備え、
前記副ヘッド部には、高周波聴診及び／又は狭域聴診のための副ダイヤグラム又は種々の機能を提供する機器類を受け入れるためのスペースが設けられ、前記副ダイヤグラム又は前記機器類を前記スペース内に係止させるために前記副ヘッド部の外周縁に嵌合される着脱可能な弾性リング部材が装着されることを特徴とする聴診器ヘッド。
【請求項２】
さらに、前記弾性リング部材により前記副ヘッド部の外周縁に装着され、前記機器類を前記スペース内に留置させるための座金部材を有することを特徴とする請求項１に記載の聴診器ヘッド。
【請求項３】
前記主ヘッド部及び前記副ヘッド部の素材は、金属、アクリル樹脂又はガラスの何れかであることを特徴とする請求項１又は２に記載の聴診器ヘッド。
【請求項４】
前記主ダイヤフラムは、透明又は半透明のエポキシ樹脂又はナイロンを素材として形成されていることを特徴とする請求項３に記載の聴診器ヘッド。
【請求項５】
前記主ヘッド部と前記副ヘッド部とは、嵌め込み式の嵌合部によって互いに嵌合される構造であることを特徴とする請求項３に記載の聴診器ヘッド。
【請求項６】
前記機器類は、ストップウォッチ、時計、輸液メトロノーム、心拍数計又は温度計であることを特徴とする請求項１に記載の聴診器ヘッド。
【請求項７】
請求項１乃至６の何れかの項に記載の聴診器ヘッドと、前記聴診器ヘッドに接続された聴診音を導く導管と、前記導管に接続された耳管と、前記耳管に接続されたイヤーチップと、から構成された聴診器。
【考案の詳細な説明】
【技術分野】
【０００１】
本考案は、聴診器ヘッドに関し、特に、ヘッド主体部に口径が異なるダイヤフラムを備えると共に、デザインや機能の多様性を与える聴診器ヘッドに関する。
【背景技術】
【０００２】
聴診器は、患者の体内において発生する心拍音を聞くことにより患者の健康状態を診断したり血圧を測定する際に使用される医療用器具であり、その形態の例は、図９に示すとおりである。
図９に示す従来の聴診器ヘッド９０は、患者の心拍音を聴くためのヘッド主体部９１と、ヘッド主体部９１に接続された導管接続口２と、を備えて構成されている。また、従来の聴診器は、聴診器ヘッド９０と、導管接続口２に接続された導管３と、導管３に接続された耳管４と、この耳管４の先端に設置されたイヤーチップ５と、を備えて構成されている。
【０００３】
ヘッド主体部９１の底面には、振動板（シート）となる１枚のダイヤフラム１１１が張られている。このダイヤフラム１１１の底面が患者の胸に当てられる。
【０００４】
患者の心拍音は、ヘッド主体部９１のダイヤフラム１１１に伝わり、さらに、ダイヤフラム１１１と固着された導管接続口２、導管３、耳管４、イヤーチップ５の順で伝達され、イヤーチップ５を挿入した医師の耳にまで達する。
【考案の開示】
【考案が解決しようとする課題】
【０００５】
しかしながら、上記背景技術で述べた従来の聴診器にあっては、ヘッド主体部９１が大人用に設計されており、ダイヤフラム１１１の口径が大き過ぎて幼児や子供の身体には適さないという問題点があった。また、患者が大人の場合であっても、ダイヤフラム１１１の口径よりもさらに狭い部位に絞って聴診（即ち、局所的な部位の情報を拾うこと）したり、ダイヤフラムの径が大きいことから高周波数の体音を聴診する診断することができないという問題点があった。
【０００６】
さらに、聴診器は、医師や看護士が使用するものであって、血圧や脈拍又は点滴の際に、ストップウォッチや輸液メトロノーム装置等を使用する場合が多く、従来の聴診器に対して、ストップウォッチや輸液メトロノーム等の機能性を与えられるとその便利性はより向上する。
【０００７】
本考案は、上記従来の問題点に鑑みてなされたものであって、ヘッド主体部に口径の異なる２つのダイヤフラムをそれぞれ嵌合する２つのヘッド部を備えることにより、患者が大人の場合であっても、身体の小さい部位に絞って聴診したり、高周波の体音を聴診することができる聴診器を提供することにある。
【０００８】
また、本考案の他の目的は、聴診器に多機能性を与えることにある。すなわち、小口径のダイヤフラムを使用しない場合には、このダイヤフラムの代わりに、ストップウォッチ機能付時計を嵌め込むことにより機能面としてはナースオペレーション時の計時を便利にしたり、輸液メトロノームを嵌め込むことにより機能面としてはナースオペレーション時の点滴操作を便利にし、且つ装飾的にも優れた聴診器を提供することにある。
【課題を解決するための手段】
【０００９】
上記課題を解決するために、本考案は、ヘッド主体部と、前記ヘッド主体部に設けられた導管接続口と、から構成された聴診器ヘッドであって、前記ヘッド主体部は、前記導管接続口を挿んで互いに反対方向に形成された透明又は半透明素材から成る主ヘッド部と副ヘッド部とから構成され、前記主ヘッド部は、前記導管接続口と接続された透明又は半透明の主ダイヤフラムを備え、前記副ヘッド部には、高周波聴診及び／又は狭域聴診のための副ダイヤグラム又は種々の機能を提供する機器類を受け入れるためのスペースが設けられ、前記副ダイヤグラム又は前記機器類を前記スペース内に係止させるために前記副ヘッド部の外周縁に嵌合される着脱可能な弾性リング部材が装着されることを特徴とする聴診器ヘッドを提供するものである。
【００１０】
このように、本聴診器ヘッドの副ヘッド部には種々の機能を提供する機器類の受け入れ用のスペースが設けられていることにより、本考案にかかる聴診器は、聴診機能の他、種々の機能の中から選択された機能を提供することを可能にしているのである。
【００１１】
本聴診器ヘッドを備えた聴診器の第１の態様として、この円錐蓋形状の副ヘッド部には、副ダイヤフラムを取り付けることが可能である。この副ダイヤフラムは、通常の主ダイヤフラムの口径よりも小口径であるので、この副ダイヤフラムを備えた副ヘッドを使用して子供の身体に適合した診断を行うことができる。また、患者が大人の場合であっても、主ダイヤフラムの口径よりもさらに狭い部位に絞って聴診したり、より周波数が高い音波を聴診することができる。
【００１２】
本聴診器ヘッドを備えた聴診器の第２の態様として、この円錐蓋形状の副ヘッド部におけるスペースには、ストップウォッチ、時計、輸液メトロノーム等の機器が収納される。この他にも、例えば、心拍数計、温度計、ＬＥＤライト、ブザー等を選択的に取り付けることが可能である。
【００１３】
このため、前記副ヘッド部には、前記弾性リング部材により前記副ヘッド部の外周縁に装着され、前記機器類を前記スペース内に留置させるための座金部材を用いるようにする。
【００１４】
ところで、前記主ヘッド部及び前記副ヘッド部の素材は、金属、アクリル樹脂又はガラスの何れかであり、前記主ダイヤフラムは、透明又は半透明のエポキシ樹脂又はナイロンを素材として形成される。そして、前記主ヘッド部と前記副ヘッド部とは、嵌め込み式の嵌合部によって互いに嵌合される構造とすることができる。
【００１５】
ところで、本願は、さらに、上記した聴診器ヘッドに加えて、これに接続された聴診音を導く導管と、前記導管に接続された耳管と、前記耳管に接続されたイヤーチップと、から構成された聴診器を提供するものである。
【考案の効果】
【００１６】
以上説明したように、本考案の聴診器においては、ヘッド主体部に口径の異なる２つのダイヤフラムを備えることにより、患者が大人の場合であっても、口径の小さい方のダイヤフラムを使用することにより、身体上の狭い部位に絞って聴診したり、高周波の体音を聴診することができる。
【００１７】
また、本聴診器ヘッドにおいては、上記した円錐蓋形状の副ヘッド部のスペース内に、ストップウォッチ、時計、輸液メトロノーム等の機器類の中から一つを選択し、選択した機器を容易に収納させることができる。
【考案を実施するための最良の形態】
【００１８】
以下、本考案の聴診器の複数の実施形態について、図面を参照して詳細に説明する。
【００１９】
〔第１の実施形態〕
この実施形態では、透明又は半透明体により形成されたヘッド主体部が、２つの構成要素（従来の口径を備えた主ダイヤフラム（振動シート）を嵌合する主ヘッド部と、従来の口径よりも小さい口径を備えた副ダイヤフラム（振動シート）を嵌合する副ヘッド部）を備え、両者は導管接続口を挟んで対向するように設置される。
【００２０】
また、従来の口径よりも小さい口径の副ダイヤフラムには、例えば任意の図柄のシート類（写真、絵画、漫画等）を印刷又は貼り付けることができる。
【００２１】
図１は、本考案の聴診器ヘッドを含む聴診器の外観図の例を示す。同図において、図９（従来例）と重複する部分には同一の符号を附す。
図１において、本実施形態の聴診器ヘッド１０は、患者の心拍音を聴くためのヘッド主体部１と、ヘッド主体部１に接続された導管接続口２と、を備えて構成される。
【００２２】
なお、聴診器全体は、導管接続口２に接続された導管３と、導管３に接続された耳管４と、耳管４の先端に設置されたイヤーチップ５と、を備える。
【００２３】
ヘッド主体部１は、導管接続口２の端部を挿んで対向する主ヘッド部１１と、副ヘッド部１２とを備える。さらに、主ヘッド部１１は主ダイヤフラム１１１（図４参照）、副ヘッド部１２は副ダイヤフラム１２１（図４参照）を、それぞれ備える。
そして、副ヘッド部１２には、高周波聴診及び／又は狭域聴診のための副ダイヤグラム１２１を係止したり、後述するように副ヘッド部１２のスペース内に種々の機能を提供する機器類を受け入れるようにするために、副ダイヤグラム１２１又は機器類をこのスペース内に係止させるために副ヘッド部１２の外周縁に嵌合される着脱可能な弾性リング部材１３が装着されるのである。
ところで、ヘッド主体部１の主ヘッド部１１及び副ヘッド部１２は、一体成型され又は図４に示すように個別に成型されて嵌合されたいずれも透明又は半透明のアクリル樹脂やガラス等の素材により形成されている。
【００２４】
主ダイヤフラム１１１及び副ダイヤフラム１２１は、いずれも透明又は半透明のエポキシ樹脂又はナイロンを素材として形成することができる。
主ヘッド部１１の底面には、振動板（シート）となる１枚の主ダイヤフラム１１１が張られている。この主ダイヤフラム１１１は、従来の聴診器のダイヤフラムと同じ口径を有し、その底面が主として大人の患者の胸に当てられる。
また、副ヘッド部１２の底面には、振動板（シート）となる１枚の副ダイヤフラム１２１が張られている。このダイヤフラム１２１は、従来の聴診器のダイヤフラムよりも小さい口径を有し、その底面が主として子供の患者の胸に当てられる。
【００２５】
患者の心拍音は、主ダイヤフラム１１１又は副ダイヤフラム１２１に伝わり、さらに、主ダイヤフラム１１１及び副ダイヤフラム１２１と端部で固着された導管接続口２、導管３、耳管４、イヤーチップ５の順で伝達され、イヤーチップ５を挿入した医師の耳にまで達する。そして、副ダイヤフラム１２１は、副ヘッド部１２の外周縁に嵌合される着脱可能な弾性リング部材１３によって副ヘッド部１２に装着されるのである。
【００２６】
図２は、本考案の聴診器ヘッドの全体構成を示す外観図である。
同図に示すように、主ヘッド部１１と副ヘッド部１２とは導管接続口２を挿んで、互いに反対方向に形成される。主ヘッド部１１と副ヘッド部１２とは一体成型された構造でも、図４に示すように、個別に成型されて嵌合する構成とすることも可能である。
【００２７】
また、主ヘッド部１１と副ヘッド部１２を個別に成型して嵌合する構成とする場合は、後述の図４に示すように、副ヘッド部１２側の内周面にネジ切り部分を有するヘッド主体部１により、互いに分離可能に嵌合する構成とする。
【００２８】
副ヘッド部１２は、漏斗形状の円錐蓋部を構成し、この円錐蓋部の内部には、台形円錐体状のスペース１５が確保されている。このスペース１５には、種々の機器類の中から選択された例えば時計１２３を格納することが可能である。
【００２９】
このように副ヘッド部１２に、副ダイヤフラム（図１における１２１）に替えて、機器を収納する場合は、副ヘッド部１２の外周縁に嵌合される着脱可能な弾性リング部材１３の他に、弾性リング部材１３により副ヘッド部の外周縁に装着され、時計１２３をスペース１５内に留置させるための座金部材１４が用いられることとなる。
但し、弾性リング部材１３を装着しなくても、座金部材１４及び時計１２３や輸液メトロノーム１２４等の機器類自体を、副ヘッド部１２に固定するようにしてもよい。この場合、座金部材１４や機器類は、螺子や嵌め込み手段等により副ヘッド部１２に固定されるので、弾性リング部材１３は、副ヘッド部１２の外周縁を縁取る保護又は装飾の機能を担うこととなる。
【００３０】
図３は、本考案の第１の実施形態に係る聴診器ヘッドのヘッド主体部の構成を示す外観図である。図３に示す本考案の実施形態では、副ヘッド部１２に、副ダイヤフラム１２１が、弾性リング部材１３によって装着される。この場合は、図２に示した座金部材１４は、使用する必要がない。
【００３１】
図４は、本考案の第１の実施形態に係る聴診器ヘッドのヘッド主体部１の断面構成の１例を示す断面図である。
上記したように、ヘッド主体部１は、一体成型するようにしてもよいが、図４に示すように、主ヘッド部１１と副ヘッド部１２とは、主ヘッド部１１側の内周面にネジ切り部分を有するヘッド主体部１に、外周面にネジ切り部分を有する副ヘッド部１２をネジ込む方法により、互いに分離可能に嵌合されている、但し、主ヘッド部１１と副ヘッド部１２とは、嵌め込み式の嵌合部によって互いに嵌合される構造であってもよい。
【００３２】
〔第２の実施形態〕
この実施形態では、第１の実施形態と同様に、透明又は半透明体により形成されたヘッド主体部が、２つの構成要素（主ヘッド部、及び副ヘッド部）を備え、両者は導管接続口を挟んで対向するように設置される。
【００３３】
但し、主ヘッド部には、第１の実施形態と同様に、主ダイヤフラムが貼り付けられるが、副ヘッド部には、副ダイヤフラムの代わりに、ストップウォッチ機能付時計が、取り外し可能に嵌合される。このストップウォッチ付時計等の機器類を収納した副ヘッドは、本聴診器ヘッドから取り外すことにより、単体のストップウォッチ機能付時計として使用することができるのである。
【００３４】
図５は、本考案の第２の実施形態に係る聴診器ヘッドを含む聴診器の外観図である。同図において、図１と重複する部分には同一の符号を附す。
本考案の第２の実施形態に係る聴診器は、本考案の第１の実施形態に係る聴診器ヘッド１０において、ヘッド主体部１の副ヘッド部１２に、副ダイヤフラム１２１に代わる構成要素として、収納可能な機器類の一例としてストップウォッチ機能付時計１２３を嵌合したものである。尚、上述したように、このストップウォッチ機能付時計を収納した副ヘッドは、本聴診器ヘッドから取り外すことにより、単体のストップウォッチ機能付時計として使用することができる。
【００３５】
図６は、本考案の第２の実施形態に係る聴診器ヘッドのヘッド主体部の１構成例を示す外観図である。
ヘッド主体部１の副ヘッド部１２には、前述のとおり、副ダイヤフラム１２１に代わる構成要素として、ストップウォッチ機能付時計１２３が嵌合されている。
このため、機器類の中の例えばストップウォッチ機能付時計１２３を副ヘッド部のスペース（図２の１５）内に係止させるために副ヘッド部１２の外周縁に嵌合される着脱可能な弾性リング部材１３が装着される。さらにこの場合は、弾性リング部材１３により副ヘッド部１２の外周縁に装着され、ストップウォッチ機能付時計１２３をスペース内に留置させるための座金部材１４が使用されるのである。但し、上記したように、弾性リング部材１３を装着しなくても、座金部材１４やストップウォッチ機能付時計１２３自体を、副ヘッド部１２に固定するようにしてもよい。この場合、弾性リング部材１３は、副ヘッド部１２の外周縁を縁取る保護又は装飾の機能を担う。
【００３６】
ストップウォッチ機能付時計１２３の前面操作部には、短針・長針・秒針の位置で時刻を表示するアナルグ表示部１２３Ａと、時間・分・秒を示す数値で時刻を表示するデジタル表示部１２３Ｂと、時刻の初期設定や調整を行うための時刻調整ボタン１２３Ｃと、タイマーストップウォッチボタン１２３Ｄと、録音メモ機能のための録音／再生マイク１２３Ｅと、録音／再生ボタン１２３Ｆと、を備える。そして、このストップウォッチ機能付時計を収納した副ヘッドは、本聴診器ヘッドから取り外すことにより、単体のストップウォッチ機能付時計として使用することができる。
【００３７】
なお、この他に、夜間巡回時のペンライトとしての使用を可能にするために、ストップウォッチ機能付時計１２３の前面操作部の適当な位置に、白色ＬＥＤを設置することができる。また、持ち運び時の誤操作を防止するために、ストップウォッチ機能付時計１２３の前面操作部の適当な位置に、キーロックボタンを設置することができる。
【００３８】
ストップウォッチ機能付時計１２３の画面は、液晶表示画面とすることができる。また、この液晶表示画面は、夜間でも視認できるように、バックライト付きとすることができる。
また、ストップウォッチ機能付時計１２３の外面全体を抗菌仕様とすることができる。
【００３９】
タイマーストップウォッチボタン１２３Ｄは、計時のスタートとストップとをワンタッチボタン操作で可能にする。
録音／再生マイク１２３Ｅと、録音／再生ボタン１２３Ｆとは、録音メモを録音／再生する時に使用する。
【００４０】
図７は、本発明の第２の実施形態における第２の例を示すものである。先に説明した、第１の実施形態も第１の例と同様に、透明又は半透明体により形成されたヘッド主体部が、２つの構成要素（主ヘッド部、及び副ヘッド部）を備え、両者は導管接続口を挟んで対向するように設置される。
【００４１】
この実施例の場合においては、副ヘッド部１２には、副ダイヤフラム１２３の代わりに、輸液メトロノーム１２４が、取り外し可能に嵌合される。そして、この輸液メトロノーム１２４を収納した副ヘッドは、本聴診器ヘッドから取り外すことにより、単体の輸液メトロノーム装置として使用することができるのである。
この場合のも、先に説明したストップウォッチ機能付時計１２３の装着と同様に副ヘッド部のスペース（図２の１５）内に係止させるために副ヘッド部１２の外周縁に嵌合される着脱可能な弾性リング部材１３が装着され、弾性リング部材１３により副ヘッド部１２の外周縁に装着され、輸液メトロノーム１２４をスペース内に留置させるための座金部材１４が使用されるのである。
但し、上記したように、弾性リング部材１３を装着しなくても、座金部材１４や輸液メトロノーム１２４自体を、副ヘッド部１２に固定するようにしてもよい。この場合、弾性リング部材１３は、副ヘッド部１２の外周縁を縁取る保護又は装飾の機能を担う。
【００４２】
図８は、上記した本考案の第１の実施形態における第２の例である副ヘッド部１２に、輸液メトロノーム１２４が嵌合された場合の聴診器ヘッドのヘッド主体部の１構成例を示す外観図である。
【００４３】
輸液メトロノーム１２４の前面操作部には、輸液オペレーションの遂行に必要な各種データを数値で表示するデジタル表示部１２４Ａと、輸液オペレーションの輸液タイミングを画面表示及び音声表示する滴下タイミング表示部１２４Ｂと、輸液した滴数を表示させるための滴数表示ボタン１２４Ｃと、輸液した総量を表示させるための輸液総量表示ボタン１２４Ｄと、輸液した時の輸液速度を表示させるための輸液速度表示ボタンと、輸液した時間を表示させるための輸液時間表示ボタン１２４Ｆと、を備える。
【００４４】
なお、この他に、デジタル表示部１２４Ａに、電池の総量を表示する表示部を設置することができる。また、持ち運び時の誤操作を防止するために、輸液メトロノーム１２４の前面操作部の適当な位置に、キーロックボタンを設置することができる。
また、輸液メトロノーム１２４の外面全体を抗菌仕様とすることができる。
【００４５】
滴数表示ボタン１２４Ｃが押下されると、デジタル表示部１２４Ａの輸液滴数表示部に輸液した滴数が表示される。また、輸液総量表示ボタン１２４Ｄが押下されると、デジタル表示部１２４Ａの輸液総量表示部に輸液総量が表示される。また、輸液速度表示ボタンが表示されると、デジタル表示部１２４Ａの輸液速度表示部に輸液した時の輸液速度が表示される。さらに、輸液時間表示ボタン１２４Ｆが押下されると、デジタル表示部１２４Ａの輸液時間表示部に輸液した時間が表示される。そして、この輸液メトロノームを収納した副ヘッドは、本聴診器ヘッドから取り外すことにより、単体の輸液メトロノーム装置として使用することができるのである。
【００４６】
本考案の第２の実施形態では、前述のとおり、副ヘッド部１２に、副ダイヤフラム１２１に代わる構成要素として、ストップウォッチ機能付時計を嵌合するものとし、また、本考案の第３の実施形態では、前述のとおり、副ヘッド部１２に、副ダイヤフラム１２１に代わる構成要素として、輸液メトロノーム１２４を嵌合するものとしたが、ヘッド主体部１の副ヘッド部１２には、その他の様々な小物類を嵌合することができる。また、このような小物類として、副ヘッド部１２には、心拍数計、温度計、ＬＥＤライト、及びナースコールブザーを嵌合することができる。
【図面の簡単な説明】
【００４７】
【図１】本考案の聴診器ヘッドを含む聴診器の外観図の例を示す。
【図２】本考案の聴診器ヘッドの全体構成を示す外観図である。
【図３】本考案の第１の実施形態に係る聴診器ヘッドのヘッド主体部の構成を示す外観図である。
【図４】本考案の第１の実施形態に係る聴診器ヘッドのヘッド主体部１の断面構成の例を示す断面図である。
【図５】本考案の第２の実施形態に係る第１の例における聴診器ヘッドを含む聴診器の外観図である。
【図６】本考案の第２の実施形態に係る第１の例における聴診器ヘッドのヘッド主体部の１構成例を示す外観図である。
【図７】本考案の第２の実施形態に係る第２の例における聴診器ヘッドを含む聴診器の外観図である。
【図８】本考案の第３の実施形態に係る第２の例における聴診器ヘッドのヘッド主体部の１構成例を示す外観図である。
【図９】従来の聴診器の外観図である。
【符号の説明】
【００４８】
１：ヘッド主体部
２：導管接続口
３：導管
４：耳管
５：イヤーチップ
１３：弾性リング部材
１４：座金部材
１１１：主ダイヤフラム
１２１：副ダイヤフラム
１２３：ストップウォッチ付時計
１２４：輸液メトロノーム
【図１】
0003111463.tif 000003
【図２】
0003111463.tif 000004
【図３】
0003111463.tif 000005
【図４】
0003111463.tif 000006
【図５】
0003111463.tif 000007
【図６】
0003111463.tif 000008
【図７】
0003111463.tif 000009
【図８】
0003111463.tif 000010
【図９】
0003111463.tif 000011